(57)【要約】【課題】騒音の低減及び工具全体の軽量化を図ることができ、締め付けトルクを増大させることもできるインパクト工具を提供する。【解決手段】モータ１の回転力が減速機構２及び駆動軸３を介し伝達されて回転するハンマー４と、ハンマー４とかみ合い回転する出力軸５と、同ハンマー４を出力軸５側に向けて付勢するバネ６とを備え、前記ハンマー４と出力軸５とのかみ合い部７で間欠的な打撃を付与して同出力軸５を回動させるインパクト工具において、前記ハンマー４と出力軸５とのかみ合い部７を包囲する略円筒状の遮音カバー体８を同ハンマー４から前方へ一体的に突設し、このハンマー４と遮音カバー体８との重心を両者の回転中心軸線Ｐ上に位置させた。【選択図】　　　　　図１
2004034245.tif 000002
【特許請求の範囲】
【請求項１】
モータの回転力が減速機構及び駆動軸を介し伝達されて回転するハンマーと、軸方向においてハンマーとかみ合い回転する出力軸と、軸方向で可動とされた同ハンマーを出力軸側に向けて付勢するバネとを備え、前記ハンマーと出力軸とのかみ合い部でこの出力軸に対しハンマーの回転する方向に間欠的な打撃を付与して同出力軸を回動させることにより、この出力軸の前端に装着されるビットを衝撃的に回動させることができるインパクト工具であって、前記ハンマーと出力軸とのかみ合い部を包囲する略円筒状の遮音カバー体を同ハンマーから前方へ一体的に突設し、このハンマーと遮音カバー体との重心を両者の回転中心軸線上に位置させてなるインパクト工具。
【請求項２】
遮音カバー体の前端部分にこの前端開口を閉塞する蓋状体を形成し、この蓋状体の中心部分に出力軸が回動自在且つ軸方向でスライド自在に貫通保持される軸受け部を設けたことを特徴とする請求項１記載のインパクト工具。
【請求項３】
モータの回転力が減速機構及び駆動軸を介し伝達されて回転するハンマーと、軸方向においてハンマーとかみ合い回転する出力軸と、軸方向で可動とされた同ハンマーを出力軸側に向けて付勢するバネとを備え、前記ハンマーと出力軸とのかみ合い部でこの出力軸に対しハンマーの回転する方向に間欠的な打撃を付与して同出力軸を回動させることにより、この出力軸の前端に装着されるビットを衝撃的に回動させることができるインパクト工具であって、前記駆動軸及び減速機構を包囲する略円筒状の遮音カバー体をハンマーから後方へ一体的に突設し、このハンマーと遮音カバー体との重心を両者の回転中心軸線上に位置させてなるインパクト工具。
【請求項４】
減速機構の外周部分に軸受け部を設け、遮音カバー体の内周を同軸受け部にて回動自在且つ軸方向でスライド自在に受け保持させたことを特徴とする請求項３記載のインパクト工具。
【請求項５】
遮音カバー体の後端部分をモータを包囲するまでに後方へ延設し、この遮音カバー体の延設後端部が回動自在且つ軸方向でスライド自在に係合保持される支持受け部を外殻ケースの内部後端付近に設けたことを特徴とする請求項４記載のインパクト工具。
【発明の詳細な説明】
【０００１】
【発明の属する技術分野】
本発明は、ボルトやナット或いはネジ等の締め付け作業に用いるインパクトドライバーやインパクトレンチのようなインパクト工具に関するものである。
【０００２】
【従来の技術】
従来から、特開平１１−３３３７４２号公報に開示されるようなインパクト工具が知られている。このインバクト工具は、図４〜６に示す如く、モータ１の回転力が減速機構２及び駆動軸３を介し伝達されて回転するハンマー４と、軸方向においてハンマー４とかみ合い回転する出力軸５と、軸方向で可動とされた同ハンマー４を出力軸５側に向けて付勢するバネ６とを備え、前記ハンマー４と出力軸５とのかみ合い部７でこの出力軸５に対しハンマー４の回転する方向に間欠的な打撃を付与して同出力軸５を回動させることにより、この出力軸５の前端に装着されるビットを衝撃的に回動させることができるものである。
【０００３】
そして、前記インパクト工具は、ビットホルダー１４にドライバービットのようなビットを装着するインパクトドライバーのようなものであって、外殻ケース１２のグリップ部１２ａの下端に電源となる電池パックが装着されており、同グリップ部１２ａの前面側にはトリガースイッチ１３が設けられている。外殻ケース１２内にはモータ取り付け台２１を介してモータ１が配設され、モータ１の出力回転軸にはピニオン２２が圧入固定されており、このピニオン２２には駆動軸３の後端部分のキャリア部２３に取り付けられた遊星ギア２４がかみ合っている。
【０００４】
前記駆動軸３は軸受け２５によって支持されると共に、軸受け２６で支持された出力軸５によって支持されているもので、前記遊星ギア２４はモータ取り付け台２１に一体に形成されたインターナルギア２７にもかみ合っている。それ故、モータ１の出力回転軸が回転されると、ピニオン２２と遊星ギア２４とインターナルギア２７とキャリア部２３とで構成される遊星歯車機構（減速機構２）により減速を受けて、前記駆動軸３は回転する。
【０００５】
又、前記駆動軸３の外周には環状のハンマー４が軸方向及び回転方向に移動自在に配設されている。このハンマー４はその前面に前記出力軸５の後端部分に形成された凸起歯７ｂとかみ合う凸起歯７ａを備え、その内周に軸方向の直溝２８を備えたものであり、駆動軸３の外周面に形成されたＶ字状溝２９と同直溝２８とに係合する鋼製のボール３０の存在故に、同駆動軸３に対する軸方向及び回転方向の移動について制限を受けている。
【０００６】
そして、ハンマー４の背面には、バネ６の一端がスラスト板３１及び球３２を介して当接されている。ここにおけるバネ６の他端は、スラスト板３３で支持されていることから、ハンマー４は前方へと付勢されている。出力軸５は軸受け２６によって回転自在に支持されたもので、その前端部分にはビットが装着されるビットホルダー１４を備え、その後端部分には前記ハンマー４の凸起歯７ａとかみ合う凸起歯７ｂが形成されている。
【０００７】
したがって、このインパクト工具において、モータ１により回転駆動される駆動軸３は、その回転力をボール３０を介してハンマー４に伝えるものであり、そして、バネ６による付勢力で同ハンマー４は出力軸５とかみ合い部７でかみ合った状態にあるため、ハンマー４の回転が出力軸５を通じてドライバービットのようなビットに伝達される。
【０００８】
ここで、ドライバービットのようなビットによるビス締め作業等を行っている際に、回転の負荷が大きくなってくると、ハンマー４と出力軸５とのかみ合い部７において、駆動軸３に設けられたＶ字状溝２９の存在故に、ハンマー４を後退させる方向の分力を発生して、このハンマー４は駆動軸３に対して回転しながら後退する。そして、ハンマー４と出力軸５とのかみ合い部７で凸起歯７ａと凸起歯７ｂとのかみ合いが外れ、モータ１からの回転エネルギーとバネ６の復元力とによって、同ハンマー４は出力軸５を打撃するものであり、この打撃による回転方向の衝撃がドライバービットのようなビットに加えられる。
【０００９】
又、このインパクト工具にあっては、ハンマー４が内側筒部と外側筒部との二重筒状に形成され、両筒部の間には収納凹部３４が形成されており、この収納凹部３４内に前記バネ６の前部やスラスト板３１、球３２等が納められている。それ故、ハンマー４及びバネ６の収納配置に要するスペースは軸方向で短縮され、インパクト工具の長さを短くすることができ、更には、同ハンマー４による慣性モーメントも大きくなって、インパクト工具のパワーアップが図られる。
【００１０】
【発明が解決しようとする課題】
しかしながら、上記従来の技術にあっては、ハンマー４と出力軸５とのかみ合い部７や駆動軸３、減速機構２、モータ１等の部分で大きな騒音を発生するものであり、特に、かみ合い部７では衝撃音が、減速機構２では歯車が螺合して回転する音が、いずれも大きく発生するものであった。この場合、前記ハンマー４や減速機構２等は軽量な材料で形成された外殻ケース１２内に収納されているだけであり、この外殻ケース１２が冷却用の孔を有していることもあって、前記大きな騒音がそのまま同外殻ケース１２外に漏出するという問題があった。
【００１１】
又、前記騒音を遮蔽するために、外殻ケース１２を厚く形成したり、比重の大きな材料で形成したりすると、インパクト工具全体の重量が大きくなって使い勝手が悪くなる。更に、上記従来の技術では、ハンマー４による慣性モーメントを大きくして、インパクト工具のパワーアップを図るものであるが、ハンマー４による慣性モーメントだけでは不十分で、締め付けトルクを増大させるに十分なパワーアップが図られないという問題もあった。
【００１２】
又、この種のインパクト工具において、防音効果を高める技術が、例えば、特開平９−１０９０４４号公報に示されるように知られている。このものは、ハンマーケース内にオイルを封入することでハンマー衝撃音を減衰させるようにしたインパクトドライバーであって、更に、ハンマーケースの外周にスポンジを貼り付け、その上をラバー製のカバーで覆ったものである。この場合、騒音の漏出は防止されるものの、ハンマーケースやこれに封入されるオイル等で重くなって使い勝手が悪く、同ハンマーケースやスポンジ、カバー等で外形状も大きくなってコンパクトにならず、又、ハンマーによる慣性モーメントが不足してパワーアップを図ることができないという問題がある。
【００１３】
本発明は、上記従来の技術における問題を悉く解決するために発明されたもので、その課題は、騒音の低減及び工具全体の軽量化を図ることができ、締め付けトルクを増大させることもできるインパクト工具を提供することである。
【００１４】
【課題を解決するための手段】
本発明の請求項１記載のインパクト工具は、モータの回転力が減速機構及び駆動軸を介し伝達されて回転するハンマーと、軸方向においてハンマーとかみ合い回転する出力軸と、軸方向で可動とされた同ハンマーを出力軸側に向けて付勢するバネとを備え、前記ハンマーと出力軸とのかみ合い部でこの出力軸に対しハンマーの回転する方向に間欠的な打撃を付与して同出力軸を回動させることにより、この出力軸の前端に装着されるビットを衝撃的に回動させることができるインパクト工具であって、前記ハンマーと出力軸とのかみ合い部を包囲する略円筒状の遮音カバー体を同ハンマーから前方へ一体的に突設し、このハンマーと遮音カバー体との重心を両者の回転中心軸線上に位置させてなるものである。
【００１５】
したがって、この場合、ハンマーと出力軸とのかみ合い部では衝撃音が発生するものの、このかみ合い部は略円筒状の遮音カバー体で包囲されるので、同衝撃音の外部への漏出が防止されて、周辺での騒音は低減される。又、前記遮音カバー体は略円筒状でハンマーから前方へ一体的に突設され、このハンマーと遮音カバー体との重心が両者の回転中心軸線上に位置されるため、同ハンマーと遮音カバー体とが一体となって偏心することなくスムーズに回転することで、慣性モーメントは大きくなり、締め付けトルクが増大して、十分なパワーアップが図られる。しかも、ここでは、外殻カバーを厚く形成したり、比重の大きな材料で形成したり、或いは、その他の遮音材を貼着するようなこともないので、工具全体の軽量化及び小型化を図ることができて、使い勝手も良好となる。
【００１６】
本発明の請求項２記載のインパクト工具は、上記請求項１記載のインパクト工具において、遮音カバー体の前端部分にこの前端開口を閉塞する蓋状体を形成し、この蓋状体の中心部分に出力軸が回動自在且つ軸方向でスライド自在に貫通保持される軸受け部を設けたことを特徴とするものである。
【００１７】
したがって、この場合は特に、遮音カバー体の前端部分にこの前端開口を閉塞する蓋状体が形成されるので、かみ合い部で発生する衝撃音の外部への漏出は確実に防止されて、周辺での騒音がより低減される。しかも、前記蓋状体の中心部分には軸受け部が設けられ、この軸受け部にて出力軸は回動自在且つ軸方向でスライド自在に貫通保持されるため、この出力軸を回転中心として同蓋状体と共に遮音カバー体及びハンマーがよりスムーズに安定状態で回転し、安定した締め付けトルクが得られる。
【００１８】
本発明の請求項３記載のインパクト工具は、モータの回転力が減速機構及び駆動軸を介し伝達されて回転するハンマーと、軸方向においてハンマーとかみ合い回転する出力軸と、軸方向で可動とされた同ハンマーを出力軸側に向けて付勢するバネとを備え、前記ハンマーと出力軸とのかみ合い部でこの出力軸に対しハンマーの回転する方向に間欠的な打撃を付与して同出力軸を回動させることにより、この出力軸の前端に装着されるビットを衝撃的に回動させることができるインパクト工具であって、前記駆動軸及び減速機構を包囲する略円筒状の遮音カバー体をハンマーから後方へ一体的に突設し、このハンマーと遮音カバー体との重心を両者の回転中心軸線上に位置させてなるものである。
【００１９】
したがって、この場合、減速機構では歯車が螺合回転する音等の雑音が発生するものの、この減速機構は駆動軸と共に略円筒状の遮音カバー体で包囲されるので、同雑音の外部への漏出が防止されて、周辺での騒音は低減される。又、前記遮音カバー体は略円筒状でハンマーから後方へ一体的に突設され、このハンマーと遮音カバー体との重心が両者の回転中心軸線上に位置されるため、同ハンマーと遮音カバー体とが一体となって偏心することなくスムーズに回転することで、慣性モーメントは大きくなり、締め付けトルクが増大して、十分なパワーアップが図られる。しかも、ここでは、外殻カバーを厚く形成したり、比重の大きな材料で形成したり、或いは、その他の遮音材を貼着するようなこともないので、工具全体の軽量化及び小型化を図ることができて、使い勝手も良好となる。
【００２０】
本発明の請求項４記載のインパクト工具は、上記請求項３記載のインパクト工具において、減速機構の外周部分に軸受け部を設け、遮音カバー体の内周を同軸受け部にて回動自在且つ軸方向でスライド自在に受け保持させたことを特徴とするものである。
【００２１】
したがって、この場合は特に、遮音カバー体の内周が減速機構の外周部分に設けられる軸受け部にて回動自在且つ軸方向でスライド自在に受け保持されるため、同遮音カバー体と共にハンマーはよりスムーズに安定状態で回転し、安定した締め付けトルクが得られる。
【００２２】
本発明の請求項５記載のインパクト工具は、上記請求項４記載のインパクト工具において、遮音カバー体の後端部分をモータを包囲するまでに後方へ延設し、この遮音カバー体の延設後端部が回動自在且つ軸方向でスライド自在に係合保持される支持受け部を外殻ケースの内部後端付近に設けたことを特徴とするものである。
【００２３】
したがって、この場合は特に、遮音カバー体の後端部分がモータを包囲するまでに後方へ延設されるので、モータ、減速機構、駆動軸等の駆動部位全体が同遮音カバー体で包囲され、同部位で発生する雑音の外部への漏出は確実に防止されて、周辺での騒音がより低減される。しかも、前記遮音カバー体の延設後端部が外殻ケースの内部後端付近に設けられる支持受け部にて回動自在且つ軸方向でスライド自在に係合保持されるため、ハンマーは同遮音カバー体と共により安定した状態で回転し、更に安定した締め付けトルクが得られる。
【００２４】
【発明の実施の形態】
図１、２は、本発明の請求項１、２に対応する第一の実施形態であるインパクト工具を示している。このインパクト工具は、モータ１の回転力が減速機構２及び駆動軸３を介し伝達されて回転するハンマー４と、軸方向においてハンマー４とかみ合い回転する出力軸５と、軸方向で可動とされた同ハンマー４を出力軸５側に向けて付勢するバネ６とを備えており、前記ハンマー４と出力軸５とのかみ合い部７でこの出力軸５に対しハンマー４の回転する方向に間欠的な打撃を付与して同出力軸５を回動させることにより、この出力軸５の前端に装着されるビットを衝撃的に回動させることができるものである。
【００２５】
ここまでのインパクト工具の基本的な構造は、上記従来の技術で図４〜６に基づいて説明した内容と同様であるので、その具体的な説明をここでは省略し、この実施形態のインパクト工具の特徴となる構成のみを説明する。このインパクト工具では、前記ハンマー４と出力軸５とのかみ合い部７を包囲する略円筒状の遮音カバー体８を同ハンマー４から前方へ一体的に突設し、このハンマー４と遮音カバー体８との重心を両者の回転中心軸線Ｐ上に位置させている。この場合、遮音カバー体８の前端部分にこの前端開口を閉塞する蓋状体９を形成し、この蓋状体９の中心部分に出力軸５が回動自在且つ軸方向でスライド自在に貫通保持される軸受け部１０を設けてもいる。
【００２６】
外殻ケース１２は比較的薄くて軽量な合成樹脂成形体であり、そのグリップ部の前面側にトリガースイッチ１３が設けられている。又、このインパクト工具はインパクトドライバーであり、出力軸５の前端部分に設けられるビットホルダー１４にドライバービットが装着される。外殻ケース１２内に収容されるモータ１、減速機構２、駆動軸３、ハンマー４、出力軸５等は、上記従来の技術（図４〜６）と同様の構成で同様に動作するものである。
【００２７】
減速機構２としては、遊星歯車機構以外の多数の歯車を有する機構を採用しても良い。ハンマー４は環状で鉄系材料のような剛体材料でなり、その前面に出力軸５の後端部１５両端に形成された凸起歯７ｂとかみ合う一対の凸起歯７ａを備え、この凸起歯７ａ，７ｂのかみ合い部７で同出力軸５に対してハンマー４の回転する方向に間欠的な打撃が付与される。そして、ハンマー４の前面にその外周縁に沿ってリング状の防振材１６が設けられ、この防振材１６を介して略円筒状の遮音カバー体８が前方へ一体的に突設されている。ここで、防振材１６は柔軟な合成樹脂やゴム等、例えば、シート状のウレタン樹脂発泡体でなり、遮音カバー体８はハンマー４と同種の剛体材料でなり、これ等は接着により結合一体化される。
【００２８】
遮音カバー体８の前端開口部分には同種の剛体材料でなる円板状の蓋状体９が溶接等により結合一体化されており、この蓋状体９及び遮音カバー体８で囲まれる空間はハンマー４の軸方向の可動範囲以上の容積を有している。蓋状体９の中心部分にはベアリングでなる軸受け部１０が設けられており、この軸受け部１０には出力軸５が回動自在且つ軸方向でスライド自在に貫通保持されている。なお、軸受け部１０としてベアリング以外、例えば、ポリアセタール等の滑り易い材料でなる円筒状部材を蓋状体９の中心部分に穿設した円形孔の内周に付設して、これを軸受け部１０としても良い。
【００２９】
この場合、出力軸５は軸受け部１０にて回動自在且つ軸方向でスライド自在に支持されるため、ハンマー４及び同出力軸５が安定状態で回転し、安定した打撃による締め付けトルクを得ることができる。ここでは、遮音カバー体８及び蓋状体９もハンマー４と一体的に回転することから、これ等の重量を慣性モーメントとして利用することができるものであり、インパクト工具はバワーアップされて高出力なものとなる。なお、慣性モーメントＩはＩ＝１／２・ｍｒ＾２　（ｍは重量，ｒは重心半径）　で表され、重量分布が外周側に偏位している程、重心半径が大きくなって慣性モーメントが大きくなる。
【００３０】
したがって、この実施形態のインパクト工具においては、ハンマー４と出力軸５とのかみ合い部７で衝撃音が発生するものの、このかみ合い部７は略円筒状の遮音カバー体８で包囲されるので、同衝撃音の外部への漏出が防止されて、周辺での騒音は低減される。又、前記遮音カバー体８は略円筒状でハンマー４から前方へ一体的に突設されており、このハンマー４と遮音カバー体８との重心が両者の回転中心軸線Ｐ上に位置されるため、同ハンマー４と遮音カバー体８とが一体となって偏心することなくスムーズに回転することで、慣性モーメントは大きくなり、締め付けトルクが増大して、十分なパワーアップが図られる。
【００３１】
しかも、ここでは、外殻カバー１２を厚く形成したり、比重の大きな材料で形成したり、或いは、その他厚手の遮音材を貼着するようなこともないので、工具全体の軽量化及び小型化を図ることができて、使い勝手も良好となる。更には、ハンマー４と遮音カバー体８とが防振材１６を介して結合されているため、同遮音カバー体８自体の不要な振動が抑えられて、ここでの騒音は発生し難くなり、より高い静音効果が奏される。又、遮音カバー体８の外周面全体に防振材１７が貼着されていると、同遮音カバー体８自体の不要な振動が抑えられて、前記静音効果はより高く得られる。又、ハンマー４や遮音カバー体８の内側面全体にグラスウール等の吸音材１８を貼着しておくと、かみ合い部７で発生する衝撃音が同吸音材１８で吸収されて、前記静音効果がより高く得られるようになる。
【００３２】
又、この実施形態のインパクト工具においては、遮音カバー体８の前端部分にこの前端開口を閉塞する蓋状体９が形成されるので、かみ合い部７で発生する衝撃音の外部への漏出は確実に防止されて、周辺での騒音がより低減される。しかも、前記蓋状体９の中心部分には軸受け部１０が設けられ、この軸受け部１０にて出力軸５は回動自在且つ軸方向でスライド自在に貫通保持されるため、この出力軸５を回転中心として同蓋状体９と共に遮音カバー体８及びハンマー４がよりスムーズに安定状態で回転し、安定した締め付けトルクが得られる。
【００３３】
図３は、本発明の請求項３〜５に対応する第二の実施形態であるインパクト工具を示している。このインパクト工具も、モータ１の回転力が減速機構２及び駆動軸３を介し伝達されて回転するハンマー４と、軸方向においてハンマー４とかみ合い回転する出力軸５と、軸方向で可動とされた同ハンマー４を出力軸５側に向けて付勢するバネ６とを備えており、前記ハンマー４と出力軸５とのかみ合い部７でこの出力軸５に対しハンマー４の回転する方向に間欠的な打撃を付与して同出力軸５を回動させることにより、この出力軸５の前端に装着されるビットを衝撃的に回動させることができるものである。
【００３４】
ここまでのインパクト工具の基本的な構造は、上記従来の技術で図４〜６に基づいて説明した内容と同様であるので、その具体的な説明をここでは省略し、この実施形態のインパクト工具の特徴となる構成のみを説明する。このインパクト工具では、前記駆動軸３及び減速機構２を包囲する略円筒状の遮音カバー体８をハンマー４から後方へ一体的に突設して、このハンマー４と遮音カバー体８との重心を両者の回転中心軸線Ｐ上に位置させている。この場合、減速機構２の外周部分に軸受け部１０を設け、遮音カバー体８の内周を同軸受け部１０にて回動自在且つ軸方向でスライド自在に受け保持させている。又、遮音カバー体８の後端部分をモータ１を包囲するまでに後方へ延設し、この遮音カバー体８の延設後端部が回動自在且つ軸方向でスライド自在に係合保持される支持受け部１１を外殻ケース１２の内部後端付近に設けてもいる。
【００３５】
ハンマー４は鉄系材料のような剛体材料でなり、このハンマー４の後面にその外周縁に沿って略円筒状の遮音カバー体８が一体に突出形成されている。軸受け部１０はリング状のベアリングで、減速機構２の外周部分、例えば、上記図４に示したものでは、モータ取り付け台２１の外周部分に設けられても良く、或いは、図３に示したものでは、駆動軸３の後端部分に形成された円板状の基板１９の外周部分に設けられても良いものである。又、遮音カバー体８の内周面にポリアセタール等の滑り易い材料でなる滑材層２０を全周にわたって設け、この滑材層２０を軸受け部１０として機能させても良いものである。
【００３６】
遮音カバー体８の延設後端部は外殻ケース１２の内部後端付近に設けた支持受け部１１に係合保持されるものであるが、この支持受け部１１は外殻ケース１２の内部後端に直接設けられたり（支持受け部１１ａ）、モータ１の後端部分にその一部として形成されたり（支持受け部１１ｂ）するものである。
【００３７】
したがって、この実施形態のインパクト工具においては、減速機構２で歯車が螺合回転する音等の雑音が発生するものの、この減速機構２は駆動軸３やバネ６等と共に略円筒状の遮音カバー体８で包囲されるので、同雑音の外部への漏出が防止されて、周辺での騒音は低減される。又、前記遮音カバー体８は略円筒状でハンマー４から後方へ一体的に突設されており、このハンマー４と遮音カバー体８との重心が両者の回転中心軸線Ｐ上に位置されるため、同ハンマー４と遮音カバー体８とが一体となって偏心することなくスムーズに回転し、慣性モーメントは大きくなり、締め付けトルクが増大して、十分なパワーアップが図られる。
【００３８】
しかも、ここでは、外殻カバー１２を厚く形成したり、比重の大きな材料で形成したり、或いは、その他の遮音材を貼着するようなこともないので、工具全体の軽量化及び小型化を図ることができて、使い勝手も良好となる。更に、遮音カバー体８の内周が減速機構２の外周部分に設けられる軸受け部１０にて回動自在且つ軸方向でスライド自在に受け保持されるため、同遮音カバー体８と共にハンマー４はよりスムーズに安定状態で回転し、安定した締め付けトルクが得られる。
【００３９】
又、この場合、遮音カバー体８の後端部分がモータ１を包囲するまでに後方へ延設されて、モータ１、減速機構２、駆動軸３等の駆動部位全体が同遮音カバー体８で包囲され、同部位で発生する雑音の外部への漏出は確実に防止されて、周辺での騒音がより低減される。しかも、前記遮音カバー体８の延設後端部が外殻ケース１２の内部後端付近に設けられる支持受け部１１にて回動自在且つ軸方向でスライド自在に係合保持されるため、ハンマー４は同遮音カバー体８と共により安定した状態で回転し、更に安定した締め付けトルクが得られる。なお、それ以外は、上記第一の実施形態と同様に構成されており、同第一の実施形態におけると同様の作用効果が奏される。
【００４０】
又、本発明のインパクト工具においては、上記第一及び第二の両実施形態の構成を兼ね備えたものとしても良い。すなわち、遮音カバー体８をハンマー４の前後両方へ一体的に突設して、この遮音カバー体８によってかみ合い部７と駆動軸３及び減速機構２とが包囲されるようになしても良いものである。この場合、上記静音効果がより確実に発揮されるようになり、締め付けトルクも更に増大されることになる。
【００４１】
【発明の効果】
上述の如く、本発明の請求項１記載のインパクト工具においては、ハンマーと出力軸とのかみ合い部で発生する衝撃音の外部への漏出が防止されて、周辺での騒音は低減され、しかも、慣性モーメントにより締め付けトルクが増大して、十分なパワーアップが図られ、軽量化や小型化により使い勝手も良好となる。
【００４２】
又、本発明の請求項２記載のインパクト工具においては、特に、かみ合い部で発生する衝撃音の外部への漏出が確実に防止されて、周辺での騒音はより低減され、しかも、蓋状体と共に遮音カバー体及びハンマーがよりスムーズに安定状態で回転し、安定した締め付けトルクが得られる。
【００４３】
本発明の請求項３記載のインパクト工具においては、減速機構で発生する雑音の外部への漏出が防止されて、周辺での騒音は低減され、しかも、慣性モーメントにより締め付けトルクが増大して、十分なパワーアップが図られ、軽量化や小型化により使い勝手も良好となる。
【００４４】
又、本発明の請求項４記載のインパクト工具においては、特に、遮音カバー体の内周が軸受け部で受け保持されて、同遮音カバー体と共にハンマーはよりスムーズに安定状態で回転し、安定した締め付けトルクが得られる。
【００４５】
又、本発明の請求項５記載のインパクト工具においては、特に、遮音カバー体でモータをも含めた駆動部位が包囲され、同部位で発生する雑音の外部への漏出が確実に防止されて、周辺での騒音はより低減され、しかも、同遮音カバー体の延設後端部が支持受け部で係合保持されて、この遮音カバー体と共にハンマーはより安定した状態で回転し、更に安定した締め付けトルクが得られる。
【図面の簡単な説明】
【図１】本発明の第一の実施形態であるインパクト工具を示す縦断面図（図中稲光状のマークは騒音発生箇所を示す）。
【図２】図１におけるＸ−Ｘ断面図。
【図３】本発明の第２の実施形態であるインパクト工具を示す縦断面図。
【図４】従来例であるインパクト工具を示す縦断面図。
【図５】同インパクト工具の要部を示す縦断面図。
【図６】同インパクト工具におけるハンマーを示す分解斜視図。
【符号の説明】
１　モータ
２　減速機構
３　駆動軸
４　ハンマー
５　出力軸
６　バネ
７　かみ合い部
８　遮音カバー体
９　蓋状体
１０　軸受け部
１１　支持受け部
１２　外殻ケース
Ｐ　回転中心軸線
【図１】
2004034245.tif 000003
【図２】
2004034245.tif 000004
【図３】
2004034245.tif 000005
【図４】
2004034245.tif 000006
【図５】
2004034245.tif 000007
【図６】
2004034245.tif 000008